(57)【要約】【課題】所望の形状で比較的容易に固定可能なコルゲートチューブ及びワイヤーハーネス保護構造体を得る。【解決手段】コルゲートチューブ１のコルゲートチューブ本体部である環状凸部２１及び環状凹部２２の表面を覆って、形状固定部である形状固定用樹脂２３が形成されている。この形状固定用樹脂２３を環状凸部２１及び環状凹部２２の実質全表面上に形成することにより３次元形状が固定される。また、コルゲートチューブ１内にはワイヤーハーネスＷＨが配設されており、コルゲートチューブ１とワイヤーハーネスＷＨとによりワイヤーハーネス保護構造を構成している。【選択図】図１
2013055754.tif 000002
【特許請求の範囲】
【請求項１】
長手方向に沿って環状凸部と環状凹部とが交互に連続形成された蛇腹管状のコルゲートチューブ本体部と、
前記コルゲートチューブ本体部の前記環状凸部と前記環状凹部の表面を覆って形成され、前記コルゲートチューブ本体部の形状を固定する形状固定部とを備えた、
コルゲートチューブ。
【請求項２】
請求項１記載のコルゲートチューブであって、
前記形状固定部は前記コルゲートチューブ本体部と同一材質で形成される、
コルゲートチューブ。
【請求項３】
(a) 車両内において、長手方向に沿って環状凸部と環状凹部とが交互に連続形成された蛇腹管状のコルゲートチューブ本体部を所望の形状で仮設定するステップと、
(b) 前記所望の形状を維持させた状態で、前記コルゲートチューブ本体部の前記環状凸部と前記環状凹部の表面を覆って形状固定部を形成するステップとを備え、
前記ステップ(b) 実行後において、前記コルゲートチューブ本体部は前記所望の形状で固定保持されることを特徴とする、
コルゲートチューブの組立方法。
【請求項４】
請求項３記載のコルゲートチューブの組立方法であって、
前記形状固定部は前記コルゲートチューブ本体部と同一材質で形成される、
コルゲートチューブの組立方法。
【請求項５】
請求項１あるいは請求項２に記載のコルゲートチューブと、
少なくとも１本の電線を有し、前記コルゲートチューブ内に挿通されたワイヤーハーネスと、
を備えるワイヤーハーネス保護構造体。
【発明の詳細な説明】
【技術分野】
【０００１】
この発明はコルゲートチューブ及びワイヤーハーネス保護構造体に関し、特にその形状を一定に保持する技術に関する。
【背景技術】
【０００２】
従来、特許文献１〜特許文献４に開示のように、車両等に敷設されるワイヤーハーネスを、屈曲性良好なコルゲートチューブにて覆う技術が知られている。
【０００３】
図３は従来のコルゲートチューブ２０を模式的に示す斜視図である。同図に示す様に、コルゲートチューブ２０は長手方向に沿って環状凸部２１と環状凹部２２とが交互に連続形成された蛇腹管状を呈しており内部にワイヤーハーネスＷＨを配設している。
【先行技術文献】
【特許文献】
【０００４】
【特許文献１】実開平４−８６０２２号公報
【特許文献２】特開２０００−１８４５５１号公報
【特許文献３】特開２００２−６４９１７号公報
【特許文献４】特開２００６−２９６１６６号公報
【発明の概要】
【発明が解決しようとする課題】
【０００５】
しかしながら、コルゲートチューブ自体は、屈曲性に優れるもの故、それ自体は内部に配設するワイヤーハーネスの経路を一定に維持する機能を持たない。このため、ワイヤーハーネスあるいはコルゲートチューブに取付けられたクランプ部材を車両の一定位置に固定することで、ワイヤーハーネスの経路を一定に維持する必要がある。クランプ部材の固定箇所が多くなると、部品コスト増、取付けコスト増等を招く恐れがあるという問題点があった。
【０００６】
ここで、ワイヤーハーネスの敷設箇所に合わせて３次元形状に形成した樋状の樹脂成型品（プロテクタ）によれば、ワイヤーハーネスを保護しつつその経路を一定に維持することができる。
【０００７】
しかしながら、ワイヤーハーネスを保護可能な樹脂成型品を、ワイヤーハーネスの敷設箇所に合わせて３次元形状に形成するためには、その金型形状が複雑化してしまう。このため、製造コストが高くなるという問題点があった。
【０００８】
この発明は上記問題点を解決するためになされたもので、所望の形状で比較的容易に固定可能なコルゲートチューブ、コルゲートチューブの組立方法及びワイヤーハーネス保護構造体を得ることを目的とする。
【課題を解決するための手段】
【０００９】
この発明に係る請求項１記載のコルゲートチューブは、長手方向に沿って環状凸部と環状凹部とが交互に連続形成された蛇腹管状のコルゲートチューブ本体部と、前記コルゲートチューブ本体部の前記環状凸部と前記環状凹部の表面を覆って形成され、前記コルゲートチューブ本体部の形状を固定する形状固定部とを備える。
【００１０】
請求項２の発明は、請求項１記載のコルゲートチューブであって、前記形状固定部は前記コルゲートチューブ本体部と同一材質で形成される。
【００１１】
この発明に係る請求項３記載のコルゲートチューブの組立方法は、(a) 車両内において、長手方向に沿って環状凸部と環状凹部とが交互に連続形成された蛇腹管状のコルゲートチューブ本体部を所望の形状で仮設定するステップと、(b) 前記所望の形状を維持させた状態で、前記コルゲートチューブ本体部の前記環状凸部と前記環状凹部の表面を覆って形状固定部を形成するステップとを備え、前記ステップ(b) 実行後において、前記コルゲートチューブ本体部は前記所望の形状で固定保持されることを特徴とする。
【００１２】
請求項４の発明は、請求項３記載のコルゲートチューブの組立方法であって、前記形状固定部は前記コルゲートチューブ本体部と同一材質で形成される。
【００１３】
この発明にかかる請求項５記載のワイヤーハーネス保護構造体は、請求項１あるいは請求項２に記載のコルゲートチューブと、少なくとも１本の電線を有し、前記コルゲートチューブ内に挿通されたワイヤーハーネスとを備える。
【発明の効果】
【００１４】
請求項１（及び請求項２）記載の本願発明のコルゲートチューブは、形状固定部の形成前の状態でコルゲートチューブ本体部を所望の形状で変形した後、上記形状固定部を形成して完成することにより、既存のコルゲートチューブと同等なコルゲートチューブ本体部を活用して、所望の形状で固定されたコルゲートチューブを実現することができる。
【００１５】
その結果、ワイヤーハーネスの保護に本発明のコルゲートチューブを利用すれば、多様なワイヤーハーネスの経路規制に適合した形状で固定されたコルゲートチューブを比較的安価に得ることができる。
【００１６】
請求項３（及び請求項４）記載の本願発明のコルゲートチューブの組立方法は、ステップ(a) において形状固定部の形成前の状態でコルゲートチューブ本体部を所望の形状で仮設定している。コルゲートチューブ本体部は曲げ変形容易な性質を有しているため、比較的容易に所望の形状に仮設定することができる。
【００１７】
さらに、請求項３記載の本願発明は、ステップ(b) においてコルゲートチューブ本体部の環状凸部と環状凹部の表面を覆って形状固定部を形成することにより、ステップ(b) 実行後は、コルゲートチューブ本体部を上記所望の形状で固定保持することができる。
【００１８】
その結果、比較的安価な既存のコルゲートチューブ（コルゲートチューブ本体部）を活用して、最終的に所望の形状で固定されたコルゲートチューブ（コルゲートチューブ本体部＋形状固定部）を実現することができる。
【００１９】
このように、本発明のコルゲートチューブの組立方法によって、ワイヤーハーネスの保護にコルゲートチューブを利用する際、ワイヤーハーネスの経路規制に応じて比較的安価に形状固定できるコルゲートチューブを組み立てることができる。
【００２０】
請求項５記載の本願発明のワイヤーハーネス保護構造体は、ワイヤーハーネスを内部に配設した状態で形状固定部の形成前の状態でコルゲートチューブ本体部を所望の形状で変形した後、上記形状固定部を形成して完成することにより、既存のコルゲートチューブと同等のコルゲートチューブ本体部を活用して、所望の形状で固定されたワイヤーハーネス保護構造体を実現することができる。
【００２１】
その結果、多様なワイヤーハーネスの経路規制に適合した形状で固定されたワイヤーハーネス保護構造体を比較的安価に得ることができる。
【図面の簡単な説明】
【００２２】
【図１】この発明の実施の形態であるコルゲートチューブの断面構造（その１）を示す説明図である。
【図２】この発明の実施の形態であるコルゲートチューブの断面構造（その２）を示す説明図である。
【図３】従来のコルゲートチューブの構造を模式的に示す斜視図である。
【発明を実施するための形態】
【００２３】
＜実施の形態＞
（構造）
図１及び図２はこの発明の実施の形態であるコルゲートチューブの断面構造を示す説明図であり、図１はコルゲートチューブ１の軸Ｌ１が直線の場合、図２はコルゲートチューブ１の軸Ｌ２が曲線の場合を示している。
【００２４】
これらの図に示すように、コルゲートチューブ１内にはワイヤーハーネスＷＨが配設されており、コルゲートチューブ１とワイヤーハーネスＷＨとによりワイヤーハーネス保護構造を構成している。
【００２５】
ワイヤーハーネスＷＨ、複数の電線が結束された構成とされている。より具体的には、ワイヤーハーネスＷＨは、複数の電線が配設対象となる車両への配線形態に応じて分岐しつつ結束された構成とされている。ワイヤーハーネスＷＨは、必ずしも分岐している必要はなく、また、単一の電線によって構成されていてもよい。また、ワイヤーハーネスＷＨに、他の光ケーブル等が結束されていてもよい。
【００２６】
これらの図に示すように、外周面が環状の環状凸部２１と環状凹部２２とによりコルゲートチューブ本体部を構成している。コルゲートチューブ本体部は、長手方向(軸Ｌ１あるいは軸Ｌ２で規定される方向)に沿って環状凸部２１と環状凹部２２とが交互に連続形成されて蛇腹管状を呈している。そして、環状凸部２１及び環状凹部２２の表面を覆って、形状固定部である形状固定用樹脂２３が形成されている。このように、形状固定用樹脂２３を環状凸部２１及び環状凹部２２の実質全表面上に形成することにより、軸Ｌ１及び軸Ｌ２によって規定される３次元形状が固定される。
【００２７】
図１及び図２において、形状固定用樹脂２３の膜厚は環状凸部２１及び環状凹部２２による凹凸を反映したほぼ均一な膜厚構造で形成されているが、他の構造でもコルゲートチューブ１の３次元形状が固定できれば良い。また、コルゲートチューブ１の３次元形状が固定できるのであれば環状凸部２１及び環状凹部２２の表面の一部に選択的に形状固定用樹脂２３を形成するような構造でも良い。
【００２８】
（組立方法）
以下、本実施の形態のコルゲートチューブ１の車両内への組立方法について説明する。本実施の形態のコルゲートチューブ１の組立方法（製造方法）は以下のステップ(a) ，(b) からなる。
【００２９】
まず、ステップ(a) において、形状固定用樹脂２３が形成される前段階における環状凸部２１及び環状凹部２２からなるコルゲートチューブ本体を、車両内において所望の３次元形状で仮設定する。
【００３０】
形状固定用樹脂２３が形成される前段階におけるコルゲートチューブ本体部は、従来のコルゲートチューブと同様に環状凸部２１と環状凹部２２との間の段差部等で容易に弾性変形するため、コルゲートチューブ本体部として曲げ変形容易な性質を有している。このため、要求されるワイヤーハーネスＷＨを敷設する経路規制に適合した形状（所望の形状）で車両内に比較的用に仮設定することができる。
【００３１】
次に、ステップ(b) において、上記所望の形状を維持させた状態で、上記コルゲートチューブ本体部の環状凸部２１及び環状凹部２２の表面を覆って形状固定用樹脂２３を形成する。なお、形状固定用樹脂２３の形成方法としては、真空成形技術を用いて環状凸部２１及び環状凹部２２の表面に樹脂シートをラミネートして形状固定用樹脂２３を得たり、モールド成形技術を用いて環状凸部２１及び環状凹部２２の表面上に形状固定用樹脂２３を形成したりする方法が考えられる。
【００３２】
（効果等）
なお、形状固定用樹脂２３の材質としては例えば、ＡＢＳ樹脂、ＰＰ樹脂等が考えられる。また、コルゲートチューブ本体部の材料と同一材料で形状固定用樹脂２３を形成する方が、形状固定用樹脂２３がコルゲートチューブ本体部から剥がれにくい特性を有すため、安定した３次元形状の固定が可能となるため望ましい。また、製造コストの観点からもコルゲートチューブ本体部と形状固定用樹脂２３とは同一材料で形成することが望ましい。
【００３３】
本実施の形態のコルゲートチューブ１は、形状固定部である形状固定用樹脂２３の形成前の状態でコルゲートチューブ本体部（環状凸部２１及び環状凹部２２）を所望の形状で変形した後、形状固定用樹脂２３を形成してコルゲートチューブ１を完成することにより、既存のコルゲートチューブと同等のコルゲートチューブ本体部を活用して、所望の形状で固定された本実施の形態のコルゲートチューブ１を実現することができる。
【００３４】
その結果、ワイヤーハーネスの保護に本実施の形態のコルゲートチューブを利用すれば、多様なワイヤーハーネスの経路規制に適合した形状で固定されたコルゲートチューブを比較的安価に得ることができる。
【００３５】
また、上述したコルゲートチューブの組立方法は、ステップ(a) において形状固定用樹脂２３の形成前の状態でコルゲートチューブ本体部を所望の形状で仮設定している。コルゲートチューブ本体部は曲げ変形容易な性質を有しているため、比較的容易に所望の形状に仮設定することができる。
【００３６】
さらに、本実施の形態の組立方法は、ステップ(b) においてコルゲートチューブ本体部の環状凸部２１及び環状凹部２２の表面を覆って形状固定用樹脂２３を形成することにより、ステップ(b) 実行後は、コルゲートチューブ１に含まれるコルゲートチューブ本体部を上記所望の形状で固定保持することができる。
【００３７】
その結果、比較的安価な既存のコルゲートチューブと同等のコルゲートチューブ本体部を活用して、最終的に所望の形状で固定されたコルゲートチューブ（コルゲートチューブ本体部＋形状固定用樹脂２３）を実現することができる。
【００３８】
このように、本実施の形態のコルゲートチューブの組立方法によって、ワイヤーハーネスの保護にコルゲートチューブを利用する際、多様なワイヤーハーネスの経路規制に応じた３次元形状のコルゲートチューブ１を比較的容易に組み立てることができる効果を奏する。
【００３９】
また、本実施の形態１のコルゲートチューブ１と内部に配設されたワイヤーハーネスＷＨとからなるワイヤーハーネス保護構造体は、以下の効果を有する。
【００４０】
ワイヤーハーネス保護構造体は、形状固定用樹脂２３の形成前の状態で、ワイヤーハーネスＷＨを内部に配設したコルゲートチューブ本体部を所望の形状で変形した後、形状固定用樹脂２３を形成して、コルゲートチューブ１を完成することにより得ることができる。すなわち、既存のコルゲートチューブと同等のコルゲートチューブ本体部を活用して、所望の形状で固定されたワイヤーハーネス保護構造体（コルゲートチューブ１＋ワイヤーハーネスＷＨ）を実現することができる。
【００４１】
その結果、多様なワイヤーハーネスＷＨが敷設される経路規制に適合した３次元形状で固定されたワイヤーハーネス保護構造体を比較的安価に得ることができる効果を奏する。
【符号の説明】
【００４２】
１  コルゲートチューブ
２１  環状凸部
２２  環状凹部
２３  形状固定用樹脂
ＷＨ  ワイヤーハーネス
【図１】
2013055754.tif 000003
【図２】
2013055754.tif 000004
【図３】
2013055754.tif 000005